(57)【要約】【課題】ＦＡＸ画像が記録された記録媒体の放置を抑制した画像記録装置を提供する。【解決手段】当該装置は、通信部を通じて当該ＦＡＸデータを記憶部に記憶させる記憶処理（Ｓ１１）と、記憶部に記憶されたＦＡＸデータを識別する識別情報を含むビーコン信号を通信部を通じて繰り返し送出するビーコン送出処理（Ｓ１２）と、識別情報を含む記録指示信号を通信部を通じて無線受信したことに応じて（Ｓ１３：Ｙｅｓ）、識別情報で識別されるＦＡＸデータで示される画像を記録媒体に対して記録部に記録させる処理（Ｓ１４）と、記録処理が完了したことに応じて、識別情報を含むビーコン信号の送出を停止するビーコン停止処理（Ｓ１５）とを実行する。【選択図】図４
2018125888.tif 000002
【特許請求の範囲】
【請求項１】
ＦＡＸプロトコルに従った手順で第１装置からＦＡＸデータを受信可能であり、予め設定された出力の無線電波でビーコン信号を送出可能であり、且つ第２装置と無線通信が可能な通信部と、
記録媒体に画像を記録する記録部と、
記憶部と、
制御部と、を備えており、
前記制御部は、
前記通信部を通じて前記第１装置からＦＡＸデータを受信したことに応じて、当該ＦＡＸデータを前記記憶部に記憶させる記憶処理と、
前記記憶部に記憶された前記ＦＡＸデータを識別する識別情報を含む前記ビーコン信号を、前記通信部を通じて繰り返し送出するビーコン送出処理と、
前記識別情報を含む記録指示信号を前記通信部を通じて前記第２装置から無線受信したことに応じて、前記識別情報で識別される前記ＦＡＸデータで示される画像を記録媒体に対して前記記録部に記録させる記録処理と、
前記記録処理が完了したことに応じて、前記識別情報を含む前記ビーコン信号の送出を停止するビーコン停止処理と、を実行する画像記録装置。
【請求項２】
ＦＡＸプロトコルに従った手順で第１装置からＦＡＸデータを受信可能であり、予め設定された出力の無線電波でビーコン信号を送出可能であり、且つ第２装置と無線通信が可能な通信部と、
記録媒体に画像を記録する記録部と、
制御部と、を備えており、
前記制御部は、
前記通信部を通じて前記第１装置から前記ＦＡＸデータを受信したことに応じて、当該ＦＡＸデータで示される画像を記録媒体に対して前記記録部に記録させる記録処理と、
前記記録処理が実行された前記ＦＡＸデータを識別する識別情報を含む前記ビーコン信号を、前記通信部を通じて繰り返し送出するビーコン送出処理と、
前記識別情報を含む停止指示信号を前記通信部を通じて前記第２装置から無線受信したことに応じて、前記識別情報を含む前記ビーコン信号の送出を停止するビーコン停止処理と、を実行する画像記録装置。
【請求項３】
前記通信部は、
アクセスポイントを経由して前記第２装置から指示信号を無線受信する無線通信部と、
前記無線通信部の通信可能範囲より狭い範囲で受信可能な出力の無線電波で前記ビーコン信号を送出するビーコン送出部と、を含み、
前記制御部は、
前記ビーコン送出部を通じて前記ビーコン信号を繰り返し送出し、
前記無線通信部を通じて前記指示信号を無線受信する請求項１又は２に記載の画像記録装置。
【請求項４】
前記通信部は、
近接無線通信規格に準拠した手順で前記第２装置から指示信号を無線受信する近接無線通信部と、
前記近接無線通信部の通信可能範囲より広い範囲で受信可能な出力の無線電波で前記ビーコン信号を送出するビーコン送出部と、を含み、
前記制御部は、
前記ビーコン送出部を通じて前記ビーコン信号を繰り返し送出し、
前記近接無線通信部を通じて前記指示信号を無線受信する請求項１又は２に記載の画像
記録装置。
【請求項５】
前記制御部は、
前記識別情報を含む送信指示信号を前記通信部を通じて前記第２装置から無線受信したことに応じて、前記識別情報で識別される前記ＦＡＸデータを前記通信部を通じて前記第２装置に無線送信する送信処理と、
前記送信処理が完了したことに応じて、前記ビーコン停止処理と、を実行する請求項１に記載の画像記録装置。
【請求項６】
前記制御部は、
前記識別情報を含む送信指示信号を前記通信部を通じて前記第２装置から無線受信したことに応じて、前記識別情報で識別される前記ＦＡＸデータを前記通信部を通じて前記第２装置に無線送信する送信処理と、
前記識別情報を含む削除指示信号を前記通信部を通じて前記第２装置から無線受信したことに応じて、前記識別情報で識別される前記ＦＡＸデータを前記記憶部から削除する削除処理と、
前記削除処理が完了したことに応じて、前記ビーコン停止処理と、を実行する請求項１に記載の画像記録装置。
【請求項７】
前記通信部は、
近接無線通信規格に準拠した手順で前記第２装置と無線通信する近接無線通信部と、
アクセスポイントを経由して前記第２装置と無線通信する無線通信部と、を含み、
前記制御部は、
前記識別情報を含む送信指示信号を前記無線通信部を通じて前記第２装置から無線受信したことに応じて、前記識別情報で識別される前記ＦＡＸデータを前記無線通信部を通じて前記第２装置に無線送信する送信処理と、
前記識別情報を含む記録指示信号を前記近接無線通信部を通じて前記第２装置から無線受信したことに応じて、前記記録処理と、を実行する請求項１に記載の画像記録装置。
【請求項８】
前記制御部は、複数の前記ＦＡＸデータが前記記憶部に記憶されている場合の前記ビーコン送出処理において繰り返し送出される前記ビーコン信号それぞれに、複数の前記ＦＡＸデータそれぞれを識別する複数の前記識別情報を、１つずつ順番に含める請求項１から７のいずれかに記載の画像記録装置。
【請求項９】
前記記憶部は、前記第１装置を識別する第１識別情報と、前記第２装置に設定された第２識別情報とを対応づけて記憶しており、
前記制御部は、前記ビーコン送出処理において、前記ＦＡＸデータの送信元である前記第１装置を識別する前記第１識別情報に対応する前記第２識別情報を前記記憶部から取得し、取得した前記第２識別情報を含む前記ビーコン信号を前記通信部を通じて繰り返し送出する請求項１から８のいずれかに記載の画像記録装置。
【請求項１０】
ＦＡＸデータを記憶している画像記録装置から予め設定された出力の無線電波で送出されたビーコン信号を受信可能であり、且つ前記画像記録装置と無線通信が可能な通信部と、ユーザから指示を取得する取得部とを備える携帯端末によって実行可能なプログラムであって、
前記ＦＡＸデータを識別する識別情報を含む前記ビーコン信号を前記通信部を通じて受信したことに応じて、前記画像記録装置が前記ＦＡＸデータを受信したことを報知し、
報知を確認したことを示す確認完了指示を前記取得部を通じてユーザから取得したことに応じて、前記識別情報を含む前記ビーコン信号の送出を停止する指示を含む指示信号を前記通信部を通じて前記画像記録装置に無線送信する処理を、前記携帯端末に実行させる
プログラム。
【請求項１１】
前記通信部は、
アクセスポイントを経由して前記画像記録装置と無線通信する無線通信部と、
前記無線通信部の通信可能範囲より狭い範囲で受信可能な出力の無線電波で前記画像記録装置から送出された前記ビーコン信号を受信するビーコン受信部と、を含み、
該プログラムは、
前記ビーコン受信部を通じて前記ビーコン信号を前記画像記録装置から受信し、
前記無線通信部を通じて前記指示信号を前記画像記録装置に無線送信する処理を、前記携帯端末に実行させる請求項１０に記載のプログラム。
【請求項１２】
前記通信部は、
近接無線通信規格に準拠した手順で前記画像記録装置と無線通信する近接無線通信部と、
前記近接無線通信部の通信可能範囲より広い範囲で受信可能な出力の無線電波で前記画像記録装置から送出された前記ビーコン信号を受信するビーコン受信部と、を含み、
該プログラムは、
前記ビーコン受信部を通じて前記ビーコン信号を前記画像記録装置から受信し、
前記近接無線通信部を通じて前記指示信号を前記画像記録装置に無線送信する処理を、前記携帯端末に実行させる請求項１０に記載のプログラム。
【請求項１３】
前記携帯端末は、画像を表示する表示部を備えており、
該プログラムは、
前記識別情報で示される前記ＦＡＸデータを前記画像記録装置から受信する受信指示を前記取得部を通じてユーザから取得したことに応じて、当該識別情報を含む送信指示信号を前記通信部を通じて前記画像記録装置に無線送信し、
前記識別情報で示される前記ＦＡＸデータを前記通信部を通じて前記画像記録装置から無線受信したことに応じて、当該ＦＡＸデータで示される画像を前記表示部に表示させ、
前記表示部に表示された画像を示す前記ＦＡＸデータを前記画像記録装置から削除する削除指示を前記取得部を通じてユーザから取得したことに応じて、前記識別情報で識別される前記ＦＡＸデータを削除する指示をさらに含む前記指示信号を、前記通信部を通じて前記画像記録装置に無線送信する処理を、前記携帯端末に実行させる請求項１０から１２のいずれかに記載のプログラム。
【請求項１４】
前記携帯端末は、画像を表示する表示部を備えており、
前記通信部は、
近接無線通信規格に準拠した手順で前記画像記録装置と無線通信する近接無線通信部と、
アクセスポイントを経由して前記画像記録装置と無線通信する無線通信部と、を含み、
該プログラムは、
前記識別情報で示される前記ＦＡＸデータを前記画像記録装置から受信する受信指示を前記取得部を通じてユーザから取得したことに応じて、当該識別情報を含む送信指示信号を前記無線通信部を通じて前記画像記録装置に無線送信し、
前記識別情報で示される前記ＦＡＸデータを前記無線通信部を通じて前記画像記録装置から無線受信したことに応じて、当該ＦＡＸデータで示される画像を前記表示部に表示させ、
前記表示部に表示された画像を記録媒体に記録する記録指示を前記取得部を通じてユーザから取得したことに応じて、前記識別情報で識別される前記ＦＡＸデータで示される画像を記録媒体に記録する指示をさらに含む前記指示信号を、前記近接無線通信部を通じて前記画像記録装置に無線送信する処理を、前記携帯端末に実行させる請求項１０から１３
のいずれかに記載のプログラム。
【請求項１５】
前記携帯端末は、前記識別情報を記憶可能な記憶部を備えており、
該プログラムは、前記ビーコン信号に含まれる前記識別情報が前記記憶部に記憶されていないことに応じて、前記画像記録装置が前記ＦＡＸデータを受信したことを報知すると共に、当該識別情報を前記記憶部に記憶させる処理を、前記携帯端末に実行させる請求項１０から１４のいずれかに記載のプログラム。
【請求項１６】
前記携帯端末は、端末を識別する端末識別情報を記憶する記憶部を備えており、
前記ビーコン信号は、前記端末識別情報を含み、
該プログラムは、前記ビーコン信号に含まれる前記端末識別情報と、前記記憶部に記憶された前記端末識別情報とが一致することに応じて、前記画像記録装置が前記ＦＡＸデータを受信したことを報知する処理を、前記携帯端末に実行させる請求項１０から１５のいずれかに記載のプログラム。
【請求項１７】
前記携帯端末は、前記画像記録装置の種別を示す装置識別情報を記憶する記憶部を備えており、
前記ビーコン信号は、前記装置識別情報を含み、
該プログラムは、前記ビーコン信号に含まれる前記装置識別情報と、前記記憶部に記憶された前記装置識別情報とが一致することに応じて、前記画像記録装置が前記ＦＡＸデータを受信したことを報知する処理を、前記携帯端末に実行させる請求項１０から１６のいずれかに記載のプログラム。
【請求項１８】
該プログラムは、前記ビーコン信号の受信信号強度が閾値未満であることに応じて、前記画像記録装置が前記ＦＡＸデータを受信したことを報知する処理を、前記携帯端末に実行させる請求項１０から１７のいずれかに記載のプログラム。
【請求項１９】
前記通信部は、
アクセスポイントを経由した前記画像記録装置との間の間接無線通信、及び前記アクセスポイントを経由しない前記画像記録装置との間の直接無線通信が可能な無線通信部と、
近接無線通信規格に準拠した前記画像記録装置との間の近接無線通信が可能な近接無線通信部と、を備えており、
該プログラムは、
前記無線通信部が前記アクセスポイントに無線接続されていないことに応じて、前記近接無線通信が可能な範囲まで前記携帯端末を前記画像記録装置に近づけることを報知し、
前記直接無線通信に必要な接続情報を前記近接無線通信部を通じて前記画像記録装置から受信したことに応じて、前記無線通信部を通じた前記直接無線通信によって前記指示信号を前記画像記録装置に送信する処理を、前記携帯端末に実行させる請求項１０から１８のいずれかに記載のプログラム。
【発明の詳細な説明】
【技術分野】
【０００１】
本発明は、ＦＡＸデータで示される画像を記録媒体に記録する画像記録装置に関する。
【背景技術】
【０００２】
従来より、受信したＦＡＸデータで示される画像（以下、「ＦＡＸ画像」と表記する。）を記録媒体に記録する画像記録装置が知られている。このような画像記録装置において、ＦＡＸを受信したことにユーザが気づかずに、ＦＡＸ画像が記録された記録媒体が放置される場合がある。このような事態を回避するために、例えば特許文献１には、第１機器にイベントが着信したことに応じて、当該イベントの着信が第１機器から第２機器に通知される技術が開示されている。
【先行技術文献】
【特許文献】
【０００３】
【特許文献１】特開２００２−３６９２６０号公報
【発明の概要】
【発明が解決しようとする課題】
【０００４】
しかしながら、特許文献１に記載の技術では、当該通知を第２機器のユーザが確認したか否かを第１機器が把握することができない。その結果、第２機器のユーザが当該通知に気づかずに、ＦＡＸ画像が記録された記録媒体が放置されてしまう可能性がある。そして、長期間放置されることによって、当該記録媒体の紛失の危険性が高くなる。
【０００５】
本発明は、上記の事情に鑑みてなされたものであり、その目的は、ＦＡＸ画像が記録された記録媒体が放置されることを抑制した画像記録装置を提供することにある。
【課題を解決するための手段】
【０００６】
本明細書の一形態に係る画像記録装置は、ＦＡＸプロトコルに従った手順で第１装置からＦＡＸデータを受信可能であり、予め設定された出力の無線電波でビーコン信号を送出可能であり、且つ第２装置と無線通信が可能な通信部と、記録媒体に画像を記録する記録部と、記憶部と、制御部とを備える。そして、前記制御部は、前記通信部を通じて前記第１装置からＦＡＸデータを受信したことに応じて、当該ＦＡＸデータを前記記憶部に記憶させる記憶処理と、前記記憶部に記憶された前記ＦＡＸデータを識別する識別情報を含む前記ビーコン信号を、前記通信部を通じて繰り返し送出するビーコン送出処理と、前記識別情報を含む記録指示信号を前記通信部を通じて前記第２装置から無線受信したことに応じて、前記識別情報で識別される前記ＦＡＸデータで示される画像を記録媒体に対して前記記録部に記録させる記録処理と、前記記録処理が完了したことに応じて、前記識別情報を含む前記ビーコン信号の送出を停止するビーコン停止処理とを実行する。
【０００７】
上記構成によれば、第２装置から記録指示信号を受信したことに応じて、ＦＡＸ画像が記録媒体に記録され且つビーコン信号の送出が停止される。換言すれば、ビーコン信号を受信した第２装置にユーザが記録指示信号を送信させるまで、ＦＡＸ画像が記録媒体に記録されず且つビーコン信号が送出され続ける。その結果、ＦＡＸ画像が記録された記録媒体が放置されることを抑制できる。
【０００８】
本明細書の他の形態に係る画像記録装置は、ＦＡＸプロトコルに従った手順で第１装置からＦＡＸデータを受信可能であり、予め設定された出力の無線電波でビーコン信号を送出可能であり、且つ第２装置と無線通信が可能な通信部と、記録媒体に画像を記録する記
録部と、制御部とを備える。そして、前記制御部は、前記通信部を通じて前記第１装置から前記ＦＡＸデータを受信したことに応じて、当該ＦＡＸデータで示される画像を記録媒体に対して前記記録部に記録させる記録処理と、前記記録処理が実行された前記ＦＡＸデータを識別する識別情報を含む前記ビーコン信号を、前記通信部を通じて繰り返し送出するビーコン送出処理と、前記識別情報を含む停止指示信号を前記通信部を通じて前記第２装置から無線受信したことに応じて、前記識別情報を含む前記ビーコン信号の送出を停止するビーコン停止処理とを実行する。
【０００９】
本明細書に記載のプログラムは、ＦＡＸデータを記憶している画像記録装置から予め設定された出力の無線電波で送出されたビーコン信号を受信可能であり、且つ前記画像記録装置と無線通信が可能な通信部と、ユーザから指示を取得する取得部とを備える携帯端末によって実行可能である。該プログラムは、前記ＦＡＸデータを識別する識別情報を含む前記ビーコン信号を前記通信部を通じて受信したことに応じて、前記画像記録装置が前記ＦＡＸデータを受信したことを報知し、報知を確認したことを示す確認完了指示を前記取得部を通じてユーザから取得したことに応じて、前記識別情報を含む前記ビーコン信号の送出を停止する指示を含む指示信号を前記通信部を通じて前記画像記録装置に無線送信する処理を、前記携帯端末に実行させる。
【００１０】
上記構成によれば、携帯端末を所持したユーザが画像記録装置を含む所定の範囲に入ったことによって、ＦＡＸデータの受信が携帯端末を通じて報知される。これにより、報知を受けたユーザは、ＦＡＸ画像が記録された記録媒体を取りに行けるので、当該記録媒体が放置されることを抑制できる。
【発明の効果】
【００１１】
本発明によれば、ビーコン信号を受信した第２装置にユーザが記録指示信号を送信させるまで、ＦＡＸ画像が記録媒体に記録されず且つビーコン信号が出力され続けるので、ＦＡＸ画像が記録された記録媒体が放置されることを抑制できる。
【図面の簡単な説明】
【００１２】
【図１】図１は、実施形態における記録システム１００の概略図である。
【図２】図２は、（Ａ）が複合機１０のブロック図であり、（Ｂ）が携帯端末５０のブロック図である。
【図３】図３は、データ記憶領域３２Ｂに記憶される情報の一例であって、（Ａ）は装置ＩＤの例、（Ｂ）は発信元電話番号と端末ＩＤとの対応関係の例を示す。
【図４】図４は、ＦＡＸ受信処理のフローチャートである。
【図５】図５は、ビーコン信号受信処理のフローチャートである。
【図６】図６は、送信指示処理のフローチャートである。
【図７】図７は、ＮＦＣ検知処理のフローチャートである。
【図８】図８は、表示部５３の表示例であって、（Ａ）はメニュー画面、（Ｂ）はＦＡＸ通知画面の例である。
【図９】図９は、表示部５３の表示例であって、（Ａ）ＦＡＸデータ表示画面、（Ｂ）は近接指示画面の例である。
【図１０】図１０は、変形例に係るＦＡＸ受信処理のフローチャートである。
【発明を実施するための形態】
【００１３】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１４】
図１は、本実施形態における記録システム１００の概略図である。図１に示される記録
システム１００は、複合機１０と、１以上の携帯端末５０、５０Ａ、５０Ｂとで構成されている。複合機１０及び携帯端末５０、５０Ａ、５０Ｂは、通信ネットワークを介して相互に通信可能とされている。通信ネットワークの具体例は特に限定されないが、例えば、有線ＬＡＮ（Ｌｏｃａｌ  Ａｒｅａ  Ｎｅｔｗｏｒｋの略）、無線ＬＡＮ、或いはこれらの組み合わせであってもよい。
【００１５】
［複合機１０］
複合機１０は、図２（Ａ）に示されるように、プリンタ部１１と、ＦＡＸ部１３と、表示部２３と、操作部２４と、Ｗｉ−Ｆｉ通信部２５と、ＮＦＣ通信部２６と、ビーコン送出部２７と、ＣＰＵ３１と、記憶部３２と、通信バス３３とを主に備える。複合機１０を構成する各構成要素は、通信バス３３を介して相互に接続されている。複合機１０は、画像記録装置の一例である。ＦＡＸ部１３、Ｗｉ−Ｆｉ（Ｗｉ−Ｆｉ  Ａｌｌｉａｎｃｅの登録商標）通信部２５、ＮＦＣ通信部２６、及びビーコン送出部２７は、通信部の一例である。
【００１６】
［プリンタ部１１、ＦＡＸ部１３］
プリンタ部１１は、画像データに示される画像を記録用紙に記録する記録処理を実行する。記録用紙は、記録媒体の一例である。プリンタ部１１の記録方式は特に限定されないが、例えば、インクジェット方式や電子写真方式などの公知の方式を採用することができる。ＦＡＸ部１３は、ＦＡＸプロトコルに従った手順で外部装置とＦＡＸデータの送受信を行うＦＡＸ処理を実行する。ＦＡＸ部１３は、電話回線を通じてＦＡＸデータを送受信してもよいし、ＩＰネットワークを通じてＦＡＸデータを送受信してもよい。外部装置は第１装置の一例である。また、複合機１０は、記録用紙に記録された画像を読み取って画像データを生成するスキャン機能、記録用紙に記録された画像を読み取って他の記録用紙に記録するコピー機能等をさらに有してもよい。
【００１７】
［表示部２３］
表示部２３は、各種情報を表示する表示画面を備える。表示部２３の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００１８】
［操作部２４］
操作部２４は、表示部２３の表示画面に表示されたオブジェクトを選択するユーザの操作を検知する。具体的には、操作部２４は、例えば押ボタンを有しており、押下された押ボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。タッチセンサには、静電容量方式、抵抗膜方式等の周知の方式を採用することができる。
【００１９】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タッチ位置に表示されたオブジェクトが選択されてもよい。
【００２０】
［Ｗｉ−Ｆｉ通信部２５］
Ｗｉ−Ｆｉ通信部２５は、外部装置と無線通信を行うためのインタフェースである。具
体的には、Ｗｉ−Ｆｉ通信部２５は、携帯端末５０、５０Ａ、５０Ｂとのアクセスポイント８０を経由した無線通信（以下、「間接無線通信」と表記する。）と、携帯端末５０、５０Ａ、５０Ｂとのアクセスポイント８０を経由しない無線通信（以下、「直接無線通信」と表記する。）とを実行することができる。Ｗｉ−Ｆｉ通信部２５は、例えば、ＩＥＥＥ８０２．１１規格に準拠した手順で通信を行う。この場合、間接無線通信とはインフラストラクチャモードで無線通信を行うことを指し、直接無線通信とはアドホックモード或いはＷｉ−Ｆｉダイレクトで無線通信を行うことを指す。Ｗｉ−Ｆｉ通信部２５は、無線通信部の一例である。
【００２１】
［ＮＦＣ通信部２６］
ＮＦＣ（Ｎｅａｒ  Ｆｉｅｌｄ  Ｃｏｍｍｕｎｉｃａｔｉｏｎの略）通信部２６は、ＮＦＣ規格に準拠した手順で外部装置と通信（以下、「ＮＦＣ通信」と表記する。）を行うためのインタフェースである。ＮＦＣ通信部２６には、外部装置との間で情報等を受け渡すための記憶部を有するＩＣチップが搭載されている。ＮＦＣ規格は近接無線通信規格の一例であり、ＮＦＣ通信部は近接無線通信部の一例である。また、近接通信規格の他の例として、ＴｒａｎｓｆｅｒＪｅｔ（ＴｒａｎｓｆｅｒＪｅｔ  コンソーシアムの登録商標）等を採用してもよい。
【００２２】
なお、本明細書では、ＮＦＣ規格に準拠した手順で通信可能な機器を「ＮＦＣ機器」と表記する。すなわち、複合機１０及び携帯端末５０、５０Ａ、５０Ｂは、ＮＦＣ機器の一例である。ＮＦＣ機器は、Ｐ２Ｐモード、Ｒｅａｄｅｒモード、Ｗｒｉｔｅｒモード、及びＣＥモードのいずれかで動作する。また、本明細書では、Ｒｅａｄｅｒモード及びＷｒｉｔｅｒモードを合わせて、「Ｒ／Ｗモード」と記載することがある。
【００２３】
Ｐ２Ｐモードは、一対のＮＦＣ機器の間で双方向通信を実行するためのモードである。ＮＦＣフォーラムによって定められるＩＳＯ／ＩＥＣ  １４４３に規定されるＴｙｐｅＡのＮＦＣ機器、及びＩＳＯ／ＩＥＣ  １８０９２に規定されるＴｙｐｅＦのＮＦＣ機器は、Ｐ２Ｐモードで動作することができる。一方、ＩＳＯ／ＩＥＣ  １４４３に規定されるＴｙｐｅＢのＮＦＣ機器は、Ｐ２Ｐモードで動作することができない。
【００２４】
Ｒ／Ｗモード及びＣＥモードは、一対のＮＦＣ機器の間で単方向通信を実行するためのモードである。ＣＥモードは、ＮＦＣ機器がＮＦＣフォーラムによって定められた形式である「カード」として動作するためのモードである。ＴｙｐｅＡ、ＴｙｐｅＦ、及びＴｙｐｅＢのＮＦＣ機器は、ＣＥモードで動作することができる。Ｒｅａｄｅｒモードは、ＣＥモードで動作するＮＦＣ機器から情報等を読み出すためのモードである。Ｗｒｉｔｅｒモードは、ＣＥモードで動作するＮＦＣ機器に各種情報を書き込むためのモードである。
【００２５】
本実施形態では、複合機１０がＲ／Ｗモードで動作し、携帯端末５０がＣＥモードで動作する例を中心に説明する。すなわち、Ｒ／Ｗモードで動作する複合機１０は、ＣＥモードで動作する携帯端末５０から情報等を読み出し、且つ携帯端末５０に情報等を書き込むことができる。しかしながら、本発明はこれに限定されず、例えば、複合機１０がＣＥモードで動作し、携帯端末５０がＲ／Ｗモードで動作してもよいし、複合機１０及び携帯端末５０の両方がＰ２Ｐモードで動作してもよい。
【００２６】
本実施形態における複合機１０のＮＦＣ通信部２６は、Ｐｏｌｌ動作を実行する。Ｐｏｌｌ動作とは、所定の時間間隔でポーリング信号を繰り返し送信し、当該ポーリング信号に対する応答であるレスポンス信号を監視する動作である。そして、レスポンス信号を受信したＮＦＣ通信部２６は、以降の処理をＣＰＵ３１に引き継ぐ。一方、本実施形態における携帯端末５０のＮＦＣ通信部５６は、Ｌｉｓｔｅｎ動作を実行する。Ｌｉｓｔｅｎ動作とは、複合機１０から送信されるポーリング信号を監視し、ポーリング信号を受信した
ことを条件としてレスポンス信号を送信する動作である。そして、レスポンス信号を送信したＮＦＣ通信部５６は、以降の処理をＣＰＵ６１に引き継ぐ。
【００２７】
次に、複合機１０のＣＰＵ３１は、携帯端末５０がどのモードで動作可能かを示す情報をＮＦＣ通信部２６を通じて携帯端末５０から取得する。そして、ＣＰＵ３１は、携帯端末５０から取得した情報に基づいて複合機１０及び携帯端末５０をどのモードで動作させるか決定し、携帯端末５０の動作モードを示すＡｃｔｉｖａｔｉｏｎコマンドをＮＦＣ通信部２６を通じて携帯端末５０に送信する。一方、携帯端末５０のＣＰＵ６１は、ＮＦＣ通信部５６を通じて複合機１０からＡｃｔｉｖａｔｉｏｎコマンドを受信したことに応じて、当該Ａｃｔｉｖａｔｉｏｎコマンドに対する応答であるＯＫコマンドをＮＦＣ通信部５６を通じて複合機１０に対して送信する。これにより、複合機１０と携帯端末５０との間にＮＦＣ方式の通信リンクが確立される。以降、複合機１０と携帯端末５０とは、この通信リンクを通じて情報等を送受信する。
【００２８】
次に、複合機１０のＣＰＵ３１は、携帯端末５０との通信を終了させる際に、通信リンクを切断するためのＤｅａｃｔｉｖａｔｉｏｎコマンドをＮＦＣ通信部２６を通じて携帯端末５０に送信する。一方、携帯端末５０のＣＰＵ６１は、ＮＦＣ通信部５６を通じて複合機１０からＤｅａｃｔｉｖａｔｉｏｎコマンドを受信したことに応じて、当該Ｄｅａｃｔｉｖａｔｉｏｎコマンドに対する応答であるＯＫコマンドをＮＦＣ通信部５６を通じて複合機１０に送信する。これにより、複合機１０と携帯端末５０との間の通信リンクが切断される。
【００２９】
［ビーコン送出部２７］
ビーコン送出部２７は、予め設定された出力の無線電波でビーコン信号を送出するインタフェースである。ビーコン信号を構成する無線電波は、例えば、Ｗｉ−Ｆｉ通信部２５の通信可能範囲より狭く、ＮＦＣ通信部２６の通信可能範囲より広い範囲で受信可能な出力に設定される。ビーコン送出部２７は、例えば、Ｂｌｕｅｔｏｏｔｈ  ＬＥ（Ｌｏｗ  Ｅｎｅｒｇｙの略）（登録商標）に準拠した手順でビーコン信号を送出してもよい。
【００３０】
本実施形態に係るビーコン送出部２７は、図１の破線で示される範囲において受信可能な出力の無線電波でビーコン信号を送出する。すなわち、図１に示されるアクセスポイント８０は、ビーコン信号の受信可能範囲の内側に配置されていてもよいし、ビーコン信号の受信可能範囲の外側に配置されていてもよい。また、ビーコン信号には、例えば後述する装置ＩＤ、端末ＩＤ、データＩＤ、発信元電話番号、或いはＦＡＸデータの受信時刻等の各種情報を含めることができる。
【００３１】
［ＣＰＵ３１］
ＣＰＵ（Ｃｅｎｔｒａｌ  Ｐｒｏｃｅｓｓｉｎｇ  Ｕｎｉｔの略）３１は、複合機１０の全体動作を制御するものである。ＣＰＵ３１は、操作部２４から出力される各種情報、及び、ＦＡＸ部１３、Ｗｉ−Ｆｉ通信部２５、或いはＮＦＣ通信部２６を通じて外部装置から取得した各種情報等に基づいて、後述する各種プログラムを記憶部３２から取得して実行する。すなわち、ＣＰＵ３１及び記憶部３２は、制御部の一例を構成する。
【００３２】
［記憶部３２］
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、制御プログラム３５とが格納される。なお、制御プログラム３５は、単一のプログラムであってもよいし、複数のプログラムの集合体であってもよい。データ記憶領域３２Ｂには、制御プログラム３５の実行に必要なデータ或いは情報が記憶される。データ記憶領域３２Ｂは、ＦＡＸ部１３で受信したＦＡＸデータと、図３に示される各種情報とを記憶する。
図３に示される各種情報は、ユーザによって変更可能であってもよい。
【００３３】
データ記憶領域３２Ｂは、図３（Ａ）に示される装置ＩＤを記憶する。装置ＩＤは、複合機１０を一意に識別するものであってもよい。または、複数の複合機１０に同一の装置ＩＤが割り当てられてもよい。例えば、装置ＩＤは、複合機１０の製造メーカを示すものであってもよいし、複合機１０のモデルを示すものであってもよい。装置ＩＤは、装置識別情報の一例である。
【００３４】
また、データ記憶領域３２Ｂは、図３（Ｂ）に示されるように、発信元電話番号と端末ＩＤとを対応づけて記憶する。発信元電話番号は、複合機１０に向けてＦＡＸデータを送信した装置に設定されたものであり、ＦＡＸデータ受信時にＦＡＸ部１３を通じて取得される。端末ＩＤは、例えば図１に示されるように、各携帯端末５０、５０Ａ、５０Ｂに設定される。端末ＩＤは、携帯端末５０を一意に識別するものであってもよい。または、複数の携帯端末５０、５０Ａ、５０Ｂに同一の端末ＩＤが割り当てられてもよい。また、発信元電話番号と端末ＩＤとの対応関係は、一対一、一対多、多対一、多対多のいずれであってもよい。発信元電話番号は第１識別情報の一例であり、端末ＩＤは第２識別情報或いは端末識別情報の一例である。
【００３５】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００３６】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２”というテキスト形式の情報として保持され、別のコンピュータでは二進数表記で”１０”というバイナリ形式の情報として保持されてもよい。
【００３７】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００３８】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能な
ストレージ媒体には含まれない。
【００３９】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。後述する携帯端末５０についても同様である。
【００４０】
ＯＳ３４は、複合機１０を構成するハードウェアであるプリンタ部１１、ＦＡＸ部１３、表示部２３、操作部２４、Ｗｉ−Ｆｉ通信部２５、ＮＦＣ通信部２６、及びビーコン送出部２７等を制御するためのＡＰＩ（Ａｐｐｌｉｃａｔｉｏｎ  Ｐｒｏｇｒａｍｍｉｎｇ
Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明する。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。後述する携帯端末５０についても同様である。
【００４１】
［携帯端末５０］
携帯端末５０は、図２（Ｂ）に示されるように、表示部５３と、操作部５４と、Ｗｉ−Ｆｉ通信部５５と、ＮＦＣ通信部５６と、ビーコン受信部５７と、ＣＰＵ６１と、記憶部６２と、通信バス６３とを主に備える。操作部５４は取得部の一例であり、Ｗｉ−Ｆｉ通信部５５、ＮＦＣ通信部５６、及びビーコン受信部５７は通信部の一例である。携帯端末５０に含まれる表示部５３、操作部５４、Ｗｉ−Ｆｉ通信部５５、ＮＦＣ通信部５６、ＣＰＵ６１、記憶部６２、及び通信バス６３は、複合機１０に含まれる表示部２３、操作部２４、Ｗｉ−Ｆｉ通信部２５、ＮＦＣ通信部２６、ＣＰＵ３１、記憶部３２、及び通信バス３３と共通するので、再度の説明は省略する。また、携帯端末５０Ａ、５０Ｂの構成は、携帯端末５０と共通である。携帯端末５０、５０Ａ、５０Ｂは、第２装置の一例である。
【００４２】
ビーコン受信部５７は、複合機１０から送信されたビーコン信号を受信するインタフェースである。ビーコン受信部５７がサポートする手順は、複合機１０のビーコン送出部２７に対応する。また、記憶部６２のプログラム記憶領域６２Ａには、ＯＳ６４と、制御プログラム６５とが格納されている。また、データ記憶領域６２Ｂには、複合機１０の装置ＩＤ”ＭＦＣ−Ａ”と、図１に示される端末ＩＤ”ａｂｃ”とが記憶されている。データ記憶領域６２Ｂに記憶される装置ＩＤ及び端末ＩＤは、ユーザによって変更可能であってもよい。また、データ記憶領域６２Ｂには、データＩＤが記憶可能である。
【００４３】
［記録システム１００の動作］
図４〜図９を参照して、記録システム１００の動作を説明する。本実施形態に係る記録システム１００は、複合機１０がＦＡＸデータの受信を携帯端末５０に通知し、携帯端末５０から指示に基づいて、当該ＦＡＸデータで示される画像を記録用紙に記録する処理、当該ＦＡＸデータを携帯端末５０に送信する処理、或いは当該ＦＡＸデータを削除する処理を実行する。
【００４４】
［ＦＡＸ受信処理］
複合機１０の制御プログラム３５は、ＦＡＸ部１３を通じて不図示の外部装置からＦＡＸデータを受信したことに応じて、図４に示されるＦＡＸ受信処理を複合機１０に実行させる。なお、ＦＡＸデータを受信する具体的な手順は既に公知であるので、詳細な説明は省略する。なお、本明細書中の「に応じて」は、当該文字列の前に記載された条件が満た
された場合に、当該文字列の後に記載された処理が実行されることを示す。なお、処理が実行されるタイミングは、条件が満たされた後であればよく、当該条件が満たされた直後である必要は必ずしもない。
【００４５】
まず、制御プログラム３５は、ＦＡＸ部１３を通じて受信したＦＡＸデータをデータ記憶領域３２Ｂに記憶させる（Ｓ１１）。また、制御プログラム３５は、受信したＦＡＸデータを識別するデータＩＤを、当該ＦＡＸデータと対応づけてデータ記憶領域３２Ｂに記憶させる。データＩＤは、識別情報の一例であって、制御プログラム３５によって生成される。制御プログラム３５は、例えば、「００１」から始まる数値のうち、未だＦＡＸデータに割り当てていない最小の数値をデータＩＤとして生成してもよい。ステップＳ１１の処理は、記憶処理の一例である。さらに、制御プログラム３５は、ＦＡＸデータの送信元の装置に設定された発信元電話番号、及びＦＡＸデータの受信時刻等を、当該ＦＡＸデータと対応づけてデータ記憶領域３２Ｂに記憶させてもよい。本実施形態では、データＩＤが”００１”、発信元電話番号が”０３−ａａａａ−ｂｂｂｂ”、受信時刻が”２０１４年４月２５日  １０時４５分２９秒”であるとする。
【００４６】
次に、制御プログラム３５は、ビーコン送出部２７を通じてビーコン信号の送出を開始する（Ｓ１２）。制御プログラム３５は、発信元電話番号”０３−ａａａａ−ｂｂｂｂ”、ＦＡＸデータの受信時刻”２０１４年４月２５日  １０時４５分２９秒”、受信したＦＡＸデータを識別するデータＩＤ”００１”、複合機１０に設定された装置ＩＤ”ＭＦＣ−Ａ”、発信元電話番号に対応づけてデータ記憶領域３２Ｂに記憶された端末ＩＤ”ａｂｃ”を、ビーコン信号に含めて送出する。以降、当該ビーコン信号は、ステップＳ１５、Ｓ１７、Ｓ１８のいずれかが実行されるまで、所定の時間間隔で繰り返し送出される。ステップＳ１２の処理は、ビーコン送出処理の一例である。
【００４７】
なお、ステップＳ１１、Ｓ１２の実行順序は図４の例に限定されない。制御プログラム３５は、例えば、ＦＡＸデータを受信したことに応じて、データＩＤを生成し、当該データＩＤを含むビーコン信号の送出を開始した後で、ＦＡＸデータとデータＩＤとを対応づけてデータ記憶領域３２Ｂに記憶させてもよい。
【００４８】
次に、制御プログラム３５は、ビーコン信号を受信した携帯端末５０、５０Ａ、５０Ｂからの指示信号を、Ｗｉ−Ｆｉ通信部２５を通じて受信するまで待機する（Ｓ１３）。また、制御プログラム３５は、ＮＦＣ通信部２６にＰｏｌｌ動作を実行させる。なお、ステップＳ１３で受信される各種指示信号には、少なくともＦＡＸデータを識別するデータＩＤ”００１”が含まれているものとする。
【００４９】
そして、制御プログラム３５は、Ｗｉ−Ｆｉ通信部２５を通じて携帯端末５０から記録指示信号を受信したことに応じて（Ｓ１３：記録指示）、プリンタ部１１に記録処理を実行させる（Ｓ１４）。具体的には、制御プログラム３５は、記録指示信号に含まれるデータＩＤ”００１”に対応づけてデータ記憶領域３２Ｂに記憶されたＦＡＸデータを読み出し、当該ＦＡＸデータで示される画像を記録用紙に対してプリンタ部１１に記録させる。ステップＳ１４の処理は、記録処理の一例である。
【００５０】
次に、制御プログラム３５は、プリンタ部１１による記録処理が完了したことに応じて、ビーコン信号の送出をビーコン送出部２７に停止させ（Ｓ１５）、ＦＡＸ受信処理を終了する。なお、ステップＳ１５で停止されるのは、データＩＤ”００１”を含むビーコン信号である。また、制御プログラム３５は、記録処理に用いられたＦＡＸデータ及び当該ＦＡＸデータに対応づけられた各種情報を、データ記憶領域６２Ｂから削除してもよい。ステップＳ１５は、ビーコン停止処理の一例である。後述するステップＳ１７、Ｓ１８についても同様である。
【００５１】
また、制御プログラム３５は、Ｗｉ−Ｆｉ通信部２５を通じて携帯端末５０から送信指示信号を受信したことに応じて（Ｓ１３：送信指示）、当該送信指示信号に含まれるデータＩＤ”００１”に対応づけてデータ記憶領域３２Ｂに記憶されたＦＡＸデータを読み出し、当該ＦＡＸデータをＷｉ−Ｆｉ通信部２５を通じて携帯端末５０に送信する（Ｓ１６）。ステップＳ１６は、送信処理の一例である。そして、制御プログラム３５は、送信処理が完了したことに応じて、データＩＤ”００１”を含むビーコン信号の送出をビーコン送出部２７に停止させる（Ｓ１７）。一方、データＩＤ”００１”に対応するＦＡＸデータ等は、データ記憶領域３２Ｂに継続して記憶される。
【００５２】
さらに、制御プログラム３５は、Ｗｉ−Ｆｉ通信部２５を通じて携帯端末５０から削除指示信号を受信したことに応じて（Ｓ１３：削除指示）、当該削除指示信号に含まれるデータＩＤ”００１”に対応するＦＡＸデータ及び当該ＦＡＸデータに対応づけられた各種情報を、データ記憶領域３２Ｂから削除する（Ｓ１８）。ステップＳ１８の処理は、削除処理の一例である。そして、制御プログラム３５は、削除処理が完了したことに応じて、データＩＤ”００１”を含むビーコン信号の送出をビーコン送出部２７に停止させ（Ｓ１９）、ＦＡＸ受信処理を終了する。
【００５３】
なお、制御プログラム３５は、ステップＳ１３において、間接無線通信及び直接無線通信のどちらで各種指示信号を携帯端末５０から受信してもよい。或いは、制御プログラム３５は、ステップＳ１３において、ＮＦＣ通信によって各種指示信号を携帯端末５０から受信してもよい。また、制御プログラム３５は、ステップＳ１６において、間接無線通信及び直接無線通信のどちらでＦＡＸデータを携帯端末５０に送信してもよい。或いは、制御プログラム３５は、ステップＳ１６において、ＴｒａｎｓｆｅｒＪｅｔによってＦＡＸデータを携帯端末５０に送信してもよい。
【００５４】
［ビーコン信号受信処理］
次に、携帯端末５０の制御プログラム６５は、ビーコン受信部５７を通じて複合機１０からビーコン信号を受信したことに応じて、図５に示されるビーコン信号受信処理を携帯端末５０に実行させる。すなわち、ビーコン受信部５７は、継続してビーコン信号を監視している。以下、前述のＦＡＸ受信処理で複合機１０から送出されたビーコン信号が受信されたものとして説明する。また、ステップＳ２１〜Ｓ２４の実行順序は、図５の例に限定されない。
【００５５】
まず、制御プログラム６５は、ビーコン受信部５７を通じて受信したビーコン信号の受信信号強度（図５では「ＲＳＳＩ」と表記する。）と予め定められた閾値強度とを比較する（Ｓ２１）。なお、受信信号強度を測定する回路は、例えば、ビーコン受信部５７に搭載されている。また、閾値強度は、例えば、所定の距離（例えば、１ｍ）だけ離れた複合機１０から受信したビーコン信号の受信信号強度に相当する。
【００５６】
次に、制御プログラム６５は、受信信号強度が閾値強度未満であることに応じて（Ｓ２１：Ｙｅｓ）、受信したビーコン信号に含まれる装置ＩＤと、データ記憶領域６２Ｂに記憶された装置ＩＤ”ＭＦＣ−Ａ”とを比較する（Ｓ２２）。一方、制御プログラム６５は、受信信号強度が閾値強度以上であることに応じて（Ｓ２１：Ｎｏ）、ビーコン信号受信処理を終了する。
【００５７】
次に、制御プログラム６５は、ビーコン信号に含まれる装置ＩＤと、データ記憶領域６２Ｂに記憶された装置ＩＤとが一致することに応じて（Ｓ２２：Ｙｅｓ）、ビーコン信号に含まれる端末ＩＤと、データ記憶領域６２Ｂに記憶された端末ＩＤ”ａｂｃ”とを比較する（Ｓ２３）。一方、制御プログラム６５は、ビーコン信号に含まれる装置ＩＤと、デ
ータ記憶領域６２Ｂに記憶された装置ＩＤとが異なることに応じて（Ｓ２２：Ｎｏ）、ビーコン信号受信処理を終了する。
【００５８】
次に、制御プログラム６５は、ビーコン信号に含まれる端末ＩＤと、データ記憶領域６２Ｂに記憶された端末ＩＤとが一致することに応じて（Ｓ２３：Ｙｅｓ）、ビーコン信号に含まれるデータＩＤ”００１”がデータ記憶領域６２Ｂに記憶されているか否かを判断する（Ｓ２４）。一方、制御プログラム６５は、ビーコン信号に含まれる端末ＩＤと、データ記憶領域６２Ｂに記憶された端末ＩＤとが異なることに応じて（Ｓ２３：Ｎｏ）、ビーコン信号受信処理を終了する。
【００５９】
次に、制御プログラム６５は、ビーコン信号に含まれるデータＩＤが未だデータ記憶領域６２Ｂに記憶されていないことに応じて（Ｓ２４：Ｙｅｓ）、当該データＩＤをデータ記憶領域６２Ｂに記憶させる（Ｓ２５）。一方、制御プログラム６５は、ビーコン信号に含まれるデータＩＤが既にデータ記憶領域６２Ｂに記憶されていることに応じて（Ｓ２４：Ｎｏ）、ビーコン信号受信処理を終了する。
【００６０】
次に、制御プログラム６５は、複合機１０がＦＡＸデータを受信したことを報知する（Ｓ２６）。例えば、制御プログラム６５は、図８（Ａ）に示されるメニュー画面において、当該メニュー画面に含まれる複数のボタンＡ〜Ｆのうち、ＦＡＸ通知画面を表示させるためのボタンＤのタップを促す。本実施形態では、ボタンＤの右上に「！」マークを表示させる。この「！」マークは、ＦＡＸ通知画面が表示されることによって消える。制御プログラム６５は、さらに、携帯端末５０に搭載されたスピーカから音声を出力する、或いは携帯端末５０を振動させること等によって、複合機１０がＦＡＸデータを受信したことを報知してもよい。すなわち、ステップＳ２５までの処理はバックグラウンドで実行され、ステップＳ２６以降の処理はフォアグラウンドで実行される。
【００６１】
次に、制御プログラム６５は、メニュー画面のボタンＤをタップするユーザの操作が操作部５４によって検知されたことに応じて、ＦＡＸ通知画面を表示部５３に表示させる。図８（Ｂ）は、ＦＡＸ通知画面の一例である。図８（Ｂ）に示されるＦＡＸ通知画面は、「ＦＡＸを受信しました。」というメッセージと、ビーコン信号に含まれる発信元電話番号”０３−ａａａａ−ｂｂｂｂ”及び受信時刻”２０１４／０４／２５  １０：４５：２９”と、記録ボタンと、受信ボタンとを含む。ステップＳ２６は、複合機１０がＦＡＸデータを受信したことを報知する報知処理の一例である。
【００６２】
次に、制御プログラム６５は、操作部５４を通じてユーザから指示を取得するまで待機する（Ｓ２７）。そして、制御プログラム６５は、記録ボタンをタップするユーザの操作が操作部５４によって検知されたことに応じて（Ｓ２７：記録ボタン）、記録指示処理を実行（Ｓ２８）し、ビーコン信号受信処理を終了する。一方、制御プログラム６５は、受信ボタンをタップするユーザの操作が操作部５４によって検知されたことに応じて（Ｓ２７：受信ボタン）、送信指示処理を実行（Ｓ２９）し、ビーコン信号受信処理を終了する。記録ボタンをタップする操作は記録指示の入力の一例であり、受信ボタンをタップする操作は受信指示の入力の一例である。
【００６３】
なお、図１の例では、複合機１０から送出されるビーコン信号を携帯端末５０Ａも受信する。しかしながら、ビーコン信号に含まれる端末ＩＤ”ａｂｃ”と、携帯端末５０Ａに設定された端末ＩＤ”ｄｅｆ”とが異なるので（Ｓ２３：Ｎｏ）、携帯端末５０Ａでは以下の処理が実行されない。また、図１に示される携帯端末５０Ｂは、複合機１０から送出されるビーコン信号を受信しないので、ビーコン信号受信処理が実行されない。
【００６４】
［送信指示処理］
制御プログラム６５は、送信指示処理において、Ｗｉ−Ｆｉ通信部５５がアクセスポイント８０に接続されているか否かを判断する（Ｓ３１）。なお、Ｗｉ−Ｆｉ通信部５５がアクセスポイント８０に接続されている状態とは、例えば、ＷＥＰ（Ｗｉｒｅｄ  Ｅｑｕｉｖａｌｅｎｔ  Ｐｒｉｖａｃｙの略）、ＷＰＡ（Ｗｉ−Ｆｉ  Ｐｒｏｔｅｃｔｅｄ  Ａｃｃｅｓｓの略）、或いはＡＥＳ（Ａｄｖａｎｃｅｄ  Ｅｎｃｒｙｐｔｉｏｎ  Ｓｔａｎｄａｒｄの略）等による認証が終了し、携帯端末５０とアクセスポイント８０との間で無線信号の送受信が可能な状態を指す。
【００６５】
制御プログラム６５は、Ｗｉ−Ｆｉ通信部５５がアクセスポイント８０に接続されていることに応じて（Ｓ３１：Ｙｅｓ）、ビーコン信号に含まれていたデータＩＤ”００１”を含む送信指示信号を、Ｗｉ−Ｆｉ通信部５５を通じて複合機１０に送信する（Ｓ３２）。そして、制御プログラム６５は、データＩＤ”００１”で識別されるＦＡＸデータをＷｉ−Ｆｉ通信部５５を通じて複合機１０から受信したことに応じて、ＦＡＸデータ画面を表示部５３に表示させる（Ｓ３３）。図９（Ａ）は、ＦＡＸデータ画面の一例である。図９（Ａ）に示されるＦＡＸデータ画面は、複合機１０から受信したＦＡＸデータで示される画像９０と、記録ボタンと、削除ボタンとを含む。ステップＳ３３の処理は、表示制御処理の一例である。
【００６６】
次に、制御プログラム６５は、操作部５４を通じてユーザから指示を取得するまで待機する（Ｓ３４）。そして、制御プログラム６５は、記録ボタンをタップするユーザの操作が操作部５４によって検知されたことに応じて（Ｓ３４：記録ボタン）、データＩＤ”００１”を含む記録指示信号をＷｉ−Ｆｉ通信部５５を通じて複合機１０に送信（Ｓ３５）し、送信指示処理を終了する。一方、制御プログラム６５は、削除ボタンをタップするユーザの操作が操作部５４によって検知されたことに応じて（Ｓ３４：削除ボタン）、データＩＤ”００１”を含む削除指示信号をＷｉ−Ｆｉ通信部５５を通じて複合機１０に送信（Ｓ３６）し、送信指示処理を終了する。
【００６７】
また、制御プログラム６５は、Ｗｉ−Ｆｉ通信部５５がアクセスポイント８０に接続されていないことに応じて（Ｓ３１：Ｎｏ）、近接指示画面を表示部５３に表示させ（Ｓ３７）、送信指示処理を終了する。また、制御プログラム６５は、ＮＦＣ通信部５６にＬｉｓｔｅｎ動作を実行させる。Ｗｉ−Ｆｉ通信部５５がアクセスポイント８０に接続されていないとは、例えば、アクセスポイント８０への接続設定がＷｉ−Ｆｉ通信部５５になされていない場合、或いはアクセスポイント８０からの無線電波をＷｉ−Ｆｉ通信部５５が受信できない場合等である。
【００６８】
図９（Ｂ）は、近接指示画面の一例である。図９（Ｂ）に示される近接指示画面は、複合機１０のＮＦＣ通信部２６から送信されるポーリング信号をＮＦＣ通信部５６で受信可能な位置への携帯端末５０の移動を促すための画面である。ポーリング信号を受信可能な位置とは、例えば、複合機１０を中心とする半径１０ｃｍ程度の球の内部である。ステップＳ３７の処理は、近接無線通信が可能な範囲まで携帯端末５０を複合機１０に近づけることを報知する報知処理の一例である。
【００６９】
記録指示処理は、図６に示される送信指示処理からステップＳ３１、Ｓ３５、Ｓ３７を抽出したものである。すなわち、制御プログラム６５は、記録指示処理において、Ｗｉ−Ｆｉ通信部５５がアクセスポイント８０に接続されていることに応じて、記録指示信号をＷｉ−Ｆｉ通信部５５を通じて複合機１０に送信する。一方、制御プログラム６５は、Ｗｉ−Ｆｉ通信部５５がアクセスポイント８０に接続されていないことに応じて、近接指示画面を表示部５３に表示させる。
【００７０】
［ＮＦＣ検知処理］
次に、制御プログラム６５は、ＮＦＣ通信部５６を通じて複合機１０からポーリング信号を受信したことに応じて、図７に示されるＮＦＣ検知処理を実行する。複合機１０のＮＦＣ通信部２６は、少なくともビーコン送出部２７からビーコン信号が送出されている時にＰｏｌｌ動作を実行する。また、携帯端末５０のＮＦＣ通信部５６は、少なくとも近接指示画面が表示部５３に表示されている時にＬｉｓｔｅｎ動作を実行する。なお、ビーコン信号受信処理及び送信指示処理と共通する処理の詳細な説明は省略する。
【００７１】
まず、制御プログラム６５は、ＮＦＣ通信部５６を通じてポーリング信号を受信したことに応じて、複合機１０とＷｉ−Ｆｉダイレクト接続する（Ｓ４１）。制御プログラム６５は、ＮＦＣ通信部５６を通じて複合機１０から接続情報を取得し、当該接続情報を用いてＷｉ−Ｆｉダイレクト接続する。例えば、Ｒ／Ｗモードで動作するＮＦＣ通信部２６がＣＥモードで動作するＮＦＣ通信部５６のＩＣチップに接続情報を書き込む。接続情報とは、Ｗｉ−Ｆｉダイレクト接続を行うために必要な情報であって、例えば、ＳＳＩＤ（Ｓｅｒｖｉｃｅ  Ｓｅｔ  Ｉｄｅｎｔｉｆｉｅｒの略）や暗号化キー等である。
【００７２】
次に、制御プログラム６５は、Ｗｉ−Ｆｉダイレクト接続が完了したことに応じて、ＦＡＸ通知画面を表示部５３に表示させる（Ｓ４２）。そして、制御プログラム６５は、記録ボタンをタップするユーザの操作が操作部５４によって検知されたことに応じて（Ｓ４３：記録ボタン）、データＩＤ”００１”を含む記録指示信号をＷｉ−Ｆｉ通信部５５を通じて複合機１０に送信（Ｓ４４）し、ＮＦＣ検知処理を終了する。一方、制御プログラム６５は、受信ボタンをタップするユーザの操作が操作部５４によって検知されたことに応じて（Ｓ４３：受信ボタン）、データＩＤ”００１”を含む送信指示信号をＷｉ−Ｆｉ通信部５５を通じて複合機１０に送信する（Ｓ４５）。
【００７３】
次に、制御プログラム６５は、データＩＤ”００１”で識別されるＦＡＸデータをＷｉ−Ｆｉ通信部５５を通じて複合機１０から受信したことに応じて、ＦＡＸデータ画面を表示部５３に表示させる（Ｓ４６）。そして、制御プログラム６５は、記録ボタンをタップするユーザの操作が操作部５４によって検知されたことに応じて（Ｓ４７：記録ボタン）、データＩＤ”００１”を含む記録指示信号をＷｉ−Ｆｉ通信部５５を通じて複合機１０に送信（Ｓ４４）し、ＮＦＣ検知処理を終了する。一方、制御プログラム６５は、削除ボタンをタップするユーザの操作が操作部５４によって検知されたことに応じて（Ｓ４７：削除ボタン）、データＩＤ”００１”を含む削除指示信号をＷｉ−Ｆｉ通信部５５を通じて複合機１０に送信（Ｓ４８）し、ＮＦＣ検知処理を終了する。
【００７４】
なお、制御プログラム６５は、図６のステップＳ３２、Ｓ３５、Ｓ３６、Ｓ３７において、間接無線通信で各種指示信号を複合機１０に送信する。また、制御プログラム６５は、図６のステップＳ３３において、間接無線通信でＦＡＸデータを複合機１０から受信する。一方、制御プログラム６５は、図７のステップＳ４４、Ｓ４５、Ｓ４８において、直接無線通信で各種指示信号を複合機１０に送信する。また、制御プログラム６５は、図７のステップＳ４５において、直接無線通信でＦＡＸデータを複合機１０から受信する。
【００７５】
但し、送受信の方法は上記の組み合わせに限定されない。例えば、制御プログラム６５は、ステップＳ３２、Ｓ３５〜Ｓ３７、Ｓ４４、Ｓ４５、Ｓ４８において、ＮＦＣ通信によって各種指示信号を複合機１０に送信してもよい。また、制御プログラム６５は、ステップＳ３３、Ｓ４５において、ＴｒａｎｓｆｅｒＪｅｔによってＦＡＸデータを複合機１０から受信してもよい。
【００７６】
また、記録ボタン、受信ボタン、及び削除ボタンのタップは、ＦＡＸデータ受信の報知を確認したことを示す確認完了指示の一例である。また、記録指示信号、送信指示信号、及び削除指示信号は、ビーコン信号の送出を停止する指示を含む指示信号の一例である。
すなわち、記録指示信号は、ビーコン信号の送出停止と、記録処理の実行とを指示する信号である。また、送信指示信号は、ビーコン信号の送出停止と、送信処理の実行とを指示する信号である。さらに、削除指示信号は、ビーコン信号の送出停止と、削除処理の実行とを指示する信号である。
【００７７】
［本実施形態の作用効果］
上記の実施形態に係る複合機１０は、携帯端末５０から各種指示信号を受信したことに応じて（Ｓ１３）、当該指示信号に従った処理（Ｓ１４、Ｓ１６、Ｓ１８）を実行すると共に、ビーコン信号の送出を停止する（Ｓ１５、Ｓ１７、Ｓ１９）。換言すれば、ビーコン信号を受信した携帯端末５０にユーザが各種指示信号を送信させるまで、ＦＡＸデータに対する処理が実行されず且つビーコン信号が送出され続ける。その結果、ＦＡＸ画像が記録された記録用紙が放置されることを抑制できる。
【００７８】
なお、ステップＳ１５、Ｓ１７、Ｓ１９において送出が停止されるのは、ステップＳ１３で受信した指示信号に含まれるデータＩＤ”００１”を含むビーコン信号である。すなわち、”００１”と異なるデータＩＤを含むビーコン信号、或いはデータＩＤを含まないビーコン信号の送出は、継続されてもよい。これにより、複数のＦＡＸデータを受信したことを個別に報知することができる。例えば、ビーコン送出部２７は、ＦＡＸデータが受信されたか否かに拘わらず、所定の時間間隔でビーコン信号を繰り返し送出していてもよい。そして、制御プログラム３５は、ＦＡＸ部１３を通じてＦＡＸデータを受信したことに応じて、当該ＦＡＸデータに対応するデータＩＤを、繰り返し送出されるビーコン信号に含めてもよい。
【００７９】
一例として、データＩＤ”００１”、”００２”、”００３”で識別されるＦＡＸデータがデータ記憶領域６２Ｂに記憶されている場合、制御プログラム３５は、ビーコン送出部２７が繰り返し送出するビーコン信号それぞれに、データＩＤ”００１”、”００２”、”００３”をこの順に設定する。これにより、データＩＤ”００１”を含むビーコン信号、データＩＤ”００２”を含むビーコン信号、及びデータＩＤ”００３”を含むビーコン信号が順番に繰り返し送出される。すなわち、この例におけるビーコン信号には、データＩＤを１つだけ含めることができる。そして、制御プログラム３５は、ビーコン送出部２７が繰り返し送出するビーコン信号それぞれに、データ記憶領域６２Ｂに記憶されている複数のＦＡＸデータそれぞれを識別する複数のデータＩＤを、１つずつ順番に含めてもよい。
【００８０】
そして、制御プログラム３５は、データＩＤ”００１”を含む指示信号をＷｉ−Ｆｉ通信部２５を通じて受信したことに応じて、ビーコン信号にデータＩＤ”００１”を含めることを停止する。すなわち、これ以降は、データＩＤ”００２”を含むビーコン信号、及びデータＩＤ”００３”を含むビーコン信号が順番に繰り返し送出される。そして、全てのデータＩＤに対する指示信号が受信された後は、データＩＤを含まないビーコン信号が所定の間隔で繰り返し送出される。
【００８１】
他の例として、データＩＤ”００１”、”００２”、”００３”で識別されるＦＡＸデータがデータ記憶領域６２Ｂに記憶されている場合、制御プログラム３５は、ビーコン送出部２７が繰り返し送出するビーコン信号に、データＩＤ”００１”、”００２”、”００３”全てを含めてもよい。これにより、データＩＤ”００１”、”００２”、”００３”を含むビーコン信号が繰り返し送出される。すなわち、この例におけるビーコン信号には、複数のデータＩＤを含めることができる。そして、制御プログラム３５は、ビーコン送出部２７が繰り返し送出するビーコン信号それぞれに、データ記憶領域６２Ｂに記憶されている複数のＦＡＸデータそれぞれを識別する全てのデータＩＤを含めてもよい。
【００８２】
そして、制御プログラム３５は、データＩＤ”００１”を含む指示信号をＷｉ−Ｆｉ通信部２５を通じて受信したことに応じて、ビーコン信号にデータＩＤ”００１”を含めることを停止する。すなわち、これ以降は、データＩＤ”００２”、”００３”を含むビーコン信号が繰り返し送出される。そして、全てのデータＩＤに対する指示信号が受信された後は、データＩＤを含まないビーコン信号が所定の間隔で繰り返し送出される。
【００８３】
また、ステップＳ１５、Ｓ１７、Ｓ１９の全てのタイミングでビーコン停止処理を実行する必要は必ずしもない。例えば、上記の実施形態に係る携帯端末５０は、削除指示信号を送信する前に必ず送信指示信号を送信する。すなわち、ステップＳ１７でビーコン停止処理を実行すれば、ステップＳ１９のビーコン停止処理を省略できると考えることもできる。または、ＦＡＸデータがデータ記憶領域３２Ｂから削除されるのはステップＳ１４、Ｓ１８である。そのため、ステップＳ１７でビーコン停止処理を実行すると、ＦＡＸデータがデータ記憶領域３２Ｂに記憶されているにも拘わらず、携帯端末５０への報知のみが停止されることになる。すなわち、ステップＳ１７のビーコン停止処理を省略し、ステップＳ１５、Ｓ１９でビーコン停止処理を実行してもよい。
【００８４】
また、上記の実施形態によれば、携帯端末５０を所持したユーザが複合機１０を含む所定の範囲に入ったことによって、ＦＡＸデータの受信が携帯端末５０を通じて報知される。ビーコン信号を構成する無線電波の出力は、例えば、複合機１０が設置されたフロア内或いは建物内の携帯端末５０で受信可能な大きさに設定されればよい。これにより、複合機１０の側にすぐに行ける距離のユーザにのみＦＡＸデータの受信が報知されるので、ＥメールやＳＭＳ（Ｓｈｏｒｔ  Ｍｅｓｓａｇｅ  Ｓｅｒｖｉｃｅの略）等のように、複合機１０と携帯端末５０との距離に関係なくメッセージを送受信可能な方法と比較して、ＦＡＸ画像が記録された記録用紙が放置されることをさらに有効に抑制できる。
【００８５】
また、上記の実施形態に係るビーコン信号には、装置ＩＤ及び端末ＩＤが含まれるので、当該ＦＡＸデータを必要とするユーザに対してのみＦＡＸデータの受信が報知される。なお、上記の実施形態では、発信元電話番号に応じてビーコン信号に含める端末ＩＤを変更する例を説明したが、これに限らず、複合機１０から送出されるビーコン信号には常に同一の端末ＩＤを含めてもよい。または、ビーコン信号に含める端末ＩＤを送出回数に応じて変更してもよい。
【００８６】
具体的には、データＩＤ”００１”を含むビーコン信号に、１回目〜Ｍ回目の送出時に端末ＩＤ”ａｂｃ”を、（Ｍ＋１）回目〜Ｎ回目の送出時に端末ＩＤ”ａｂｃ”、”ｄｅｆ”を、（Ｎ＋１）回目以降の送出時に端末ＩＤ”ａｂｃ”、”ｄｅｆ”、”ｘｙｚ”を含めてもよい。なお、Ｍ、Ｎは共に自然数であり、Ｍ＜Ｎである。このように、同一のデータＩＤを含むビーコン信号の送出回数が多くなるほど、当該ビーコン信号に含める端末ＩＤの数を増加させることにより、ＦＡＸデータの受信をより早く認識させることができる。
【００８７】
また、上記の実施形態に係る複合機１０は、受信信号強度が閾値強度以上のビーコン信号を受信したとしても、当該ビーコン信号で示されるＦＡＸデータの受信を報知しない。これにより、複合機１０のすぐ近くにいるユーザの携帯端末５０でＦＡＸデータの受信が報知されるのを防止できる。さらに、上記の実施形態に係る複合機１０は、データ記憶領域６２Ｂに既に記憶されたデータＩＤを含むビーコン信号を受信したとしても、当該データＩＤで識別されるＦＡＸデータの受信を報知しない。これにより、同一内容の報知が繰り返されるのを防止できる。但し、制御プログラム６５は、同一のデータＩＤを含むビーコン信号の受信数をカウントしておき、当該カウント値が閾値に達する度に報知を実行してもよい。
【００８８】
なお、上記の実施形態では、記録指示信号、送信指示信号、及び削除指示信号の全てを、間接無線通信又は直接無線通信で送受信する例を説明した。しかしながら、本発明はこれに限定されず、指示信号の一部をＮＦＣ通信で送受信可能としてもよい。例えば、記録指示信号をＮＦＣ通信でのみ送受信可能としてもよい。これにより、携帯端末５０を所持したユーザが複合機１０のすぐ側まで来ないと記録指示信号が送信できないので、ＦＡＸ画像が記録された記録用紙が放置されることをさらに有効に抑制できる。
【００８９】
この場合、制御プログラム６５は、記録ボタンをタップするユーザの操作が操作部５４によって検知されたことに応じて（Ｓ２７：記録ボタン、Ｓ３４：記録ボタン）、近接指示画面を表示部５３に表示させてもよい。または、制御プログラム６５は、図５のステップＳ２６で表示させるＦＡＸ通知画面、及び図６のステップＳ３３で表示させるＦＡＸデータ画面から記録ボタンを省略し、当該各画面が表示されている時にＮＦＣ通信部５６にＬｉｓｔｅｎ動作を実行させてもよい。そして、制御プログラム６５は、ＮＦＣ通信部５６がポーリング信号を受信したことに応じて、記録ボタンを含む記録確認画面を表示部５３に表示させてもよい。
【００９０】
また、間接無線通信とは、通信区間の全域において無線通信が行われていることに限定されない。すなわち、複合機１０と携帯端末５０との間の間接無線通信とは、複合機１０とアクセスポイント８０との間、及び携帯端末５０とアクセスポイント８０との間の少なくとも一方において、無線通信が行われていればよい。より具体的には、「携帯端末５０が間接無線通信によって情報或いはデータを無線送信する」、及び「携帯端末５０が間接無線通信によって情報或いはデータを無線受信する」とは、少なくとも携帯端末５０とアクセスポイント８０との間が無線区間であればよい。
【００９１】
［変形例］
さらに上記の実施形態では、ＦＡＸデータを受信した時点で記録処理を実行せず、記録指示信号を携帯端末５０から受信したことに応じて記録処理を実行する例を説明した。しかしながら、記録処理の実行タイミングはこれに限定されない。図１０を参照して、変形例に係るＦＡＸ受信処理を説明する。なお、図４の処理と共通する部分の詳しい説明は省略し、相違点を中心に説明する。
【００９２】
複合機１０の制御プログラム３５は、ＦＡＸ部１３を通じて外部装置からＦＡＸデータを受信したことに応じて、当該ＦＡＸデータで示される画像を記録用紙に記録する記録処理をプリンタ部１１に実行させる（Ｓ５１）。次に、制御プログラム３５は、ステップＳ５１で記録処理が実行されたＦＡＸデータを識別するデータＩＤを含むビーコン信号を、ビーコン送出部２７を通じて繰り返し送出する（Ｓ５２）。そして、制御プログラム３５は、当該データＩＤを含む停止指示信号をＷｉ−Ｆｉ通信部２５を通じて携帯端末５０から受信したことに応じて（Ｓ５３：Ｙｅｓ）、当該データＩＤを含むビーコン信号の送出を停止する（Ｓ５４）。
【００９３】
一方、携帯端末５０の制御プログラム６５は、ビーコン受信部５７を通じて複合機１０からビーコン信号を受信したことに応じて、ビーコン信号に含まれるデータＩＤで識別されるＦＡＸデータの受信を報知する。そして、表示部５３に表示させた確認ボタンをタップするユーザの操作が操作部５４によって検知されたことに応じて、Ｗｉ−Ｆｉ通信部５５を通じて複合機１０に停止指示信号を送信すればよい。なお、停止指示信号は、間接無線通信、直接無線通信、及びＮＦＣ通信のいずれで送受信されてもよい。
【００９４】
なお、各実施形態の複合機１０及び携帯端末５０において、記憶部３２、６２のプログラム記憶領域３２Ａ、６２Ａに記憶された各種プログラムがＣＰＵ３１、６１によって実行されることによって、本発明の制御部が実行する各処理が実現される例を説明した。し
かしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【００９５】
さらに、本発明は、複合機１０或いは携帯端末５０として実現できるだけでなく、複合機１０或いは携帯端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを介して複合機１０或いは携帯端末５０に接続可能なサーバ装置に搭載された記憶部を含んでもよい。そして、サーバ装置の記憶部に記憶されたプログラムは、当該プログラムを示す情報或いは信号として、インターネット等の通信ネットワークを介して配信されてもよい。
【符号の説明】
【００９６】
１０・・・複合機
１１・・・プリンタ部
１３・・・ＦＡＸ部
２５・・・Ｗｉ−Ｆｉ通信部
２６・・・ＮＦＣ通信部
２７・・・ビーコン送出部
３１・・・ＣＰＵ
３２・・・記憶部
３５・・・制御プログラム
５０，５０Ａ，５０Ｂ・・・携帯端末
５３・・・表示部
５４・・・操作部
５５・・・Ｗｉ−Ｆｉ通信部
５６・・・ＮＦＣ通信部
５７・・・ビーコン受信部
６１・・・ＣＰＵ
６２・・・記憶部
６５・・・制御プログラム
８０・・・アクセスポイント
１００・・・記録システム
【図１】
2018125888.tif 000003
【図２】
2018125888.tif 000004
【図３】
2018125888.tif 000005
【図４】
2018125888.tif 000006
【図５】
2018125888.tif 000007
【図６】
2018125888.tif 000008
【図７】
2018125888.tif 000009
【図８】
2018125888.tif 000010
【図９】
2018125888.tif 000011
【図１０】
2018125888.tif 000012
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
予め設定された出力の無線電波でビーコン信号を送出可能であり、且つ外部装置と通信が可能な通信部と、
記録媒体に画像を記録する記録部と、
制御部と、を備えており、
前記制御部は、
前記通信部を通じて前記外部装置から画像データを受信したことに応じて、当該画像データを識別する識別情報を含む前記ビーコン信号を、前記通信部を通じて繰り返し送出するビーコン送出処理と、
前記識別情報を含む記録指示信号を前記通信部を通じて前記外部装置から受信したことに応じて、前記識別情報で識別される前記画像データで示される画像を記録媒体に対して前記記録部に記録させる記録処理と、
前記記録処理が完了したことに応じて、前記識別情報を含む前記ビーコン信号の送出を停止するビーコン停止処理と、を実行する画像記録装置。
【請求項２】
前記外部装置は、第１装置と第２装置を含み、
前記制御部は、
前記第１装置から前記画像データを受信し、
前記第２装置から前記識別情報を受信する、請求項１に記載の画像記録装置。
【請求項３】
予め設定された出力の無線電波でビーコン信号を送出可能であり、且つ外部装置と通信が可能な通信部と、
記録媒体に画像を記録する記録部と、
制御部と、を備えており、
前記制御部は、
前記通信部を通じて前記外部装置から画像データを受信したことに応じて、当該画像データで示される画像を記録媒体に対して前記記録部に記録させる記録処理と、
前記記録処理が実行された前記画像データを識別する識別情報を含む前記ビーコン信号を、前記通信部を通じて繰り返し送出するビーコン送出処理と、
前記識別情報を含む停止指示信号を前記通信部を通じて前記外部装置から受信したことに応じて、前記識別情報を含む前記ビーコン信号の送出を停止するビーコン停止処理と、を実行する画像記録装置。
【請求項４】
前記外部装置は第１装置と第２装置を含み、
前記制御部は、
前記第１装置から前記画像データを受信し、
前記第２装置から前記停止指示信号を受信する、請求項３に記載の画像記録装置。
【請求項５】
前記通信部は、
アクセスポイントを経由して前記第２装置から指示信号を無線受信する無線通信部と、
前記無線通信部の通信可能範囲より狭い範囲で受信可能な出力の無線電波で前記ビーコン信号を送出するビーコン送出部と、を含み、
前記制御部は、
前記ビーコン送出部を通じて前記ビーコン信号を繰り返し送出し、
前記無線通信部を通じて前記指示信号を無線受信する請求項２又は４に記載の画像記録装置。
【請求項６】
前記通信部は、
近接無線通信規格に準拠した手順で前記第２装置から指示信号を無線受信する近接無線通信部と、
前記近接無線通信部の通信可能範囲より広い範囲で受信可能な出力の無線電波で前記ビーコン信号を送出するビーコン送出部と、を含み、
前記制御部は、
前記ビーコン送出部を通じて前記ビーコン信号を繰り返し送出し、
前記近接無線通信部を通じて前記指示信号を無線受信する請求項２又は４に記載の画像記録装置。
【請求項７】
前記制御部は、
前記識別情報を含む送信指示信号を前記通信部を通じて前記第２装置から無線受信したことに応じて、前記識別情報で識別される前記画像データを前記通信部を通じて前記第２装置に無線送信する送信処理と、
前記送信処理が完了したことに応じて、前記ビーコン停止処理と、を実行する請求項２に記載の画像記録装置。
【請求項８】
記憶部を備え、
前記制御部は、
前記通信部を通じて前記第１装置から前記画像データを受信したことに応じて、当該画像データを前記記憶部に記憶させる記憶処理を実行し、
前記ビーコン送出処理において、前記識別情報として前記記憶部に記憶された前記画像データを識別する識別情報を送信し、
前記識別情報を含む送信指示信号を前記通信部を通じて前記第２装置から無線受信したことに応じて、前記識別情報で識別される前記画像データを前記通信部を通じて前記第２装置に無線送信する送信処理と、
前記識別情報を含む削除指示信号を前記通信部を通じて前記第２装置から無線受信したことに応じて、前記識別情報で識別される前記画像データを前記記憶部から削除する削除処理と、
前記削除処理が完了したことに応じて、前記ビーコン停止処理と、を実行する請求項２に記載の画像記録装置。
【請求項９】
前記通信部は、
近接無線通信規格に準拠した手順で前記第２装置と無線通信する近接無線通信部と、
アクセスポイントを経由して前記第２装置と無線通信する無線通信部と、を含み、
前記制御部は、
前記識別情報を含む送信指示信号を前記無線通信部を通じて前記第２装置から無線受信したことに応じて、前記識別情報で識別される前記画像データを前記無線通信部を通じて前記第２装置に無線送信する送信処理と、
前記識別情報を含む記録指示信号を前記近接無線通信部を通じて前記第２装置から無線受信したことに応じて、前記記録処理と、を実行する請求項２に記載の画像記録装置。
【請求項１０】
記憶部を備え、
前記制御部は、
前記通信部を通じて前記第１装置から前記画像データを受信したことに応じて、当該画像データを前記記憶部に記憶させる記憶処理を実行し、
前記ビーコン送出処理において、前記識別情報として前記記憶部に記憶された前記画像データを識別する識別情報を送信し、
複数の前記画像データが前記記憶部に記憶されている場合の前記ビーコン送出処理において繰り返し送出される前記ビーコン信号それぞれに、複数の前記画像データそれぞれを識別する複数の前記識別情報を、１つずつ順番に含める請求項２から９のいずれかに記載の画像記録装置。
【請求項１１】
記憶部を備え、
前記制御部は、
前記通信部を通じて前記第１装置から前記画像データを受信したことに応じて、当該画像データを前記記憶部に記憶させる記憶処理を実行し、
前記ビーコン送出処理において、前記識別情報として前記記憶部に記憶された前記画像データを識別する識別情報を送信し、
前記記憶部は、前記第１装置を識別する第１識別情報と、前記第２装置に設定された第２識別情報とを対応づけて記憶しており、
前記制御部は、前記ビーコン送出処理において、前記画像データの送信元である前記第１装置を識別する前記第１識別情報に対応する前記第２識別情報を前記記憶部から取得し、取得した前記第２識別情報を含む前記ビーコン信号を前記通信部を通じて繰り返し送出する請求項２から１０のいずれかに記載の画像記録装置。
【請求項１２】
画像データを記憶している画像記録装置から予め設定された出力の無線電波で送出されたビーコン信号を受信可能であり、且つ前記画像記録装置と無線通信が可能な通信部と、ユーザから指示を取得する取得部とを備える携帯端末によって実行可能なプログラムであって、
前記画像データを識別する識別情報を含む前記ビーコン信号を前記通信部を通じて受信したことに応じて、前記画像記録装置が前記画像データを受信したことを報知し、
報知を確認したことを示す確認完了指示を前記取得部を通じてユーザから取得したことに応じて、前記識別情報を含む前記ビーコン信号の送出を停止する指示を含む指示信号を前記通信部を通じて前記画像記録装置に無線送信する処理を、前記携帯端末に実行させるプログラム。
【請求項１３】
前記通信部は、
アクセスポイントを経由して前記画像記録装置と無線通信する無線通信部と、
前記無線通信部の通信可能範囲より狭い範囲で受信可能な出力の無線電波で前記画像記録装置から送出された前記ビーコン信号を受信するビーコン受信部と、を含み、
該プログラムは、
前記ビーコン受信部を通じて前記ビーコン信号を前記画像記録装置から受信し、
前記無線通信部を通じて前記指示信号を前記画像記録装置に無線送信する処理を、前記携帯端末に実行させる請求項１２に記載のプログラム。
【請求項１４】
前記通信部は、
近接無線通信規格に準拠した手順で前記画像記録装置と無線通信する近接無線通信部と、
前記近接無線通信部の通信可能範囲より広い範囲で受信可能な出力の無線電波で前記画像記録装置から送出された前記ビーコン信号を受信するビーコン受信部と、を含み、
該プログラムは、
前記ビーコン受信部を通じて前記ビーコン信号を前記画像記録装置から受信し、
前記近接無線通信部を通じて前記指示信号を前記画像記録装置に無線送信する処理を、前記携帯端末に実行させる請求項１２に記載のプログラム。
【請求項１５】
前記携帯端末は、画像を表示する表示部を備えており、
該プログラムは、
前記識別情報で示される前記画像データを前記画像記録装置から受信する受信指示を前記取得部を通じてユーザから取得したことに応じて、当該識別情報を含む送信指示信号を前記通信部を通じて前記画像記録装置に無線送信し、
前記識別情報で示される前記画像データを前記通信部を通じて前記画像記録装置から無線受信したことに応じて、当該画像データで示される画像を前記表示部に表示させ、
前記表示部に表示された画像を示す前記画像データを前記画像記録装置から削除する削除指示を前記取得部を通じてユーザから取得したことに応じて、前記識別情報で識別される前記画像データを削除する指示をさらに含む前記指示信号を、前記通信部を通じて前記画像記録装置に無線送信する処理を、前記携帯端末に実行させる請求項１２から１４のいずれかに記載のプログラム。
【請求項１６】
前記携帯端末は、画像を表示する表示部を備えており、
前記通信部は、
近接無線通信規格に準拠した手順で前記画像記録装置と無線通信する近接無線通信部と、
アクセスポイントを経由して前記画像記録装置と無線通信する無線通信部と、を含み、
該プログラムは、
前記識別情報で示される前記画像データを前記画像記録装置から受信する受信指示を前記取得部を通じてユーザから取得したことに応じて、当該識別情報を含む送信指示信号を前記無線通信部を通じて前記画像記録装置に無線送信し、
前記識別情報で示される前記画像データを前記無線通信部を通じて前記画像記録装置から無線受信したことに応じて、当該画像データで示される画像を前記表示部に表示させ、
前記表示部に表示された画像を記録媒体に記録する記録指示を前記取得部を通じてユーザから取得したことに応じて、前記識別情報で識別される前記画像データで示される画像を記録媒体に記録する指示をさらに含む前記指示信号を、前記近接無線通信部を通じて前記画像記録装置に無線送信する処理を、前記携帯端末に実行させる請求項１２から１５のいずれかに記載のプログラム。
【請求項１７】
前記携帯端末は、前記識別情報を記憶可能な記憶部を備えており、
該プログラムは、前記ビーコン信号に含まれる前記識別情報が前記記憶部に記憶されていないことに応じて、前記画像記録装置が前記画像データを受信したことを報知すると共に、当該識別情報を前記記憶部に記憶させる処理を、前記携帯端末に実行させる請求項１２から１６のいずれかに記載のプログラム。
【請求項１８】
前記携帯端末は、端末を識別する端末識別情報を記憶する記憶部を備えており、
前記ビーコン信号は、前記端末識別情報を含み、
該プログラムは、前記ビーコン信号に含まれる前記端末識別情報と、前記記憶部に記憶された前記端末識別情報とが一致することに応じて、前記画像記録装置が前記画像データを受信したことを報知する処理を、前記携帯端末に実行させる請求項１２から１７のいずれかに記載のプログラム。
【請求項１９】
前記携帯端末は、前記画像記録装置の種別を示す装置識別情報を記憶する記憶部を備えており、
前記ビーコン信号は、前記装置識別情報を含み、
該プログラムは、前記ビーコン信号に含まれる前記装置識別情報と、前記記憶部に記憶された前記装置識別情報とが一致することに応じて、前記画像記録装置が前記画像データを受信したことを報知する処理を、前記携帯端末に実行させる請求項１２から１８のいずれかに記載のプログラム。
【請求項２０】
該プログラムは、前記ビーコン信号の受信信号強度が閾値未満であることに応じて、前記画像記録装置が前記画像データを受信したことを報知する処理を、前記携帯端末に実行させる請求項１２から１９のいずれかに記載のプログラム。
【請求項２１】
前記通信部は、
アクセスポイントを経由した前記画像記録装置との間の間接無線通信、及び前記アクセスポイントを経由しない前記画像記録装置との間の直接無線通信が可能な無線通信部と、
近接無線通信規格に準拠した前記画像記録装置との間の近接無線通信が可能な近接無線通信部と、を備えており、
該プログラムは、
前記無線通信部が前記アクセスポイントに無線接続されていないことに応じて、前記近接無線通信が可能な範囲まで前記携帯端末を前記画像記録装置に近づけることを報知し、
前記直接無線通信に必要な接続情報を前記近接無線通信部を通じて前記画像記録装置から受信したことに応じて、前記無線通信部を通じた前記直接無線通信によって前記指示信号を前記画像記録装置に送信する処理を、前記携帯端末に実行させる請求項１２から２０のいずれかに記載のプログラム。